(57)【要約】【課題】容易に開放でき、かつ必要以上に収縮することを防止できる使い捨て吸収性物品を提供する。【解決手段】吸収性物品体１の裏面側に、吸収性物品体１の長手方向に沿って自由端状の第３のフラップ部１５を形成する。第３のフラップ部１５の第３フラップ用収容部１６に第３フラップ用弾性体１７を配設する。第３フラップ用弾性体１７の収縮にて第３のフラップ部１５が吸収性物品体１の長手方向に収縮する。折り込み線部から折り畳んだ状態の吸収性物品体１を容易に開放できるとともに、吸収性物品体１が必要以上に収縮することを防止できる。【選択図】        図１
2004305465.tif 000002
【特許請求の範囲】
【請求項１】
透液性表面シート、不透液性裏面シート、および、これら透液性表面シートと不透液性裏面シートとの間に配設された吸収体を備えた長手方向両端部および幅方向両側部を有する形状の吸収性物品体を具備し、
この吸収性物品体は、
前記透液性表面シートおよび不透液性裏面シートの少なくともいずれか一方により前記吸収体の外方に第１のフラップ部が形成され、
前記透液性表面シートの表面側に、前記吸収性物品体の長手方向に沿ってこの吸収性物品体の幅方向の両側部に自由端状の第２のフラップ部が前記不透液性表面シートにて形成され、
前記不透液性裏面シートの前記吸収体と反対側に、前記吸収性物品体の長手方向に沿って自由端状の第３のフラップ部が形成され、
前記第２のフラップ部は、基端側が前記透液性表面シートおよび不透液性裏面シートのいずれか一方に固定され、先端側に前記吸収性物品体の長手方向に沿って第２フラップ用弾性体が配設され、
前記第３のフラップ部は、基端側が前記不透液性裏面シートに固定され、先端側に前記吸収性物品体の長手方向に沿って第３フラップ用弾性体が配設されている
ことを特徴とした使い捨て吸収性物品。
【請求項２】
第３フラップ用弾性体は、第２フラップ用弾性体よりも伸張応力が大きい
ことを特徴とした請求項１記載の使い捨て吸収性物品。
【請求項３】
第１のフラップ部は、第２のフラップ部の外方に位置する部分に吸収性物品体の長手方向に沿って不透液性表面シート側が内側となるように折り返された折り返し部を有し、
この折り返し部は、吸収性物品体の長手方向に沿った部分および長手方向の両端部のいずれか一方の少なくとも一部が、前記第１のフラップ部の非折り返し部分に固着されている
ことを特徴とした請求項１または２記載の使い捨て吸収性物品。
【請求項４】
吸収性物品体の長手方向に沿ってこの吸収性物品体の不透液性裏面シートの吸収体と反対側に固定された矩形状の折り曲げシートを備え、
第３のフラップ部は、前記折り曲げシートの幅方向の両側部から自由端状に延設され、かつ長手方向の両端部が前記不透液性裏面シートに固定されている
ことを特徴とした請求項１ないし３いずれか一記載の使い捨て吸収性物品。
【請求項５】
不透液性裏面シートの吸収体と反対側の長手方向の両端部に、被固定部に固定される固定部材が配設されている
ことを特徴とした請求項１ないし４いずれか一記載の使い捨て吸収性物品。
【請求項６】
固定部材は、面ファスナのフック部材である
ことを特徴とした請求項５記載の使い捨て吸収性物品。
【発明の詳細な説明】
【０００１】
【発明の属する技術分野】
本発明は、透液性表面シート、不透液性裏面シート、および、これら透液性表面シートと不透液性裏面シートとの間に配設された吸収体を備えた使い捨て吸収性物品に関する。
【０００２】
【従来の技術】
従来、例えば大人用、あるいは失禁用などの使い捨て吸収性物品は、透液性表面シート、不透液性裏面シート、これら透液性表面シートと不透液性裏面シートとの間に配設された吸収体を有する矩形状の吸収性物品体を備えている。この吸収性物品体は、この吸収性物品体の長手方向、幅方向、あるいはその両方に沿って折り込み線部を有している。そして、この使い捨て吸収性物品は、一般的に包装袋に封入されており、この包装袋をコンパクトにするために、吸収性物品体を折り込み線部に沿って透液性表面シート側が内側になるように折り畳んだ状態で包装袋に封入している。また、包装袋をさらにコンパクトにする際には、折り畳まれた吸収性物品体を圧縮して包装袋に封入する。そして、使用の際には、折り畳まれた吸収性物品体を包装袋から取り出し、この吸収性物品体の折り畳みを広げて使用する。
【０００３】
この使い捨て吸収性物品は、折り畳まれたり圧縮されたりして包装袋に封入されているため、持ち運び、あるいは保管には便利であるものの、使用の際に折り畳みを広げて開放しなければならない。
【０００４】
しかしながら、上述の使い捨て吸収性物品では、折り込み線部から折り畳んだ部分が内側に折れ曲がり易い状態になっており、折り畳みを開放することが容易でなく、また、使用時にも一部が内側に折れ曲がったまま装着することがあり、装着者の排泄液などの漏れの原因となるおそれがあった。
【０００５】
また、排泄液などの漏れを防止するために立体ギャザを設ける構成も考えられるが、この立体ギャザには弾性体が配設されているため、この弾性体の収縮によって、吸収性物品体が、より広がりにくくなるおそれがあった。
【０００６】
さらに、折り込み線部が吸収体部分に位置していた場合には、この折り込み線部が位置している吸収体が折り畳みにより固くなったり、折り込み線に沿って吸収体に皺が寄ったりし、装着感および密着性が低下するおそれがあった。
【０００７】
そこで、不透液性裏面シートの吸収体と反対側に、折り込み線部に沿って弾性シートを延伸した状態で固着し、この弾性シートの伸縮により吸収性物品体が広がることでこの吸収性物品体の折り畳みを広げる手間を改善した使い捨て吸収性物品が知られている（例えば、特許文献１参照。）。
【０００８】
しかしながら、この特許文献１に記載された使い捨て吸収性物品では不透液性裏面シートの吸収体と反対側に固着した弾性シートの収縮により、開放した状態で吸収性物品体が必要以上に収縮して長手方向、あるいは幅方向に短くなるおそれがある。
【０００９】
【特許文献１】
特開平１１−２１６１５９号公報（第２−３頁、図３）
【００１０】
【発明が解決しようとする課題】
上述したように、従来の使い捨て吸収性物品では、吸収性物品体の開放が容易でなく、特許文献１に記載された使い捨て吸収性物品では、吸収性物品体の必要以上の収縮を防止することが容易でないという問題点を有している。
【００１１】
本発明はこのような点に鑑みなされたもので、容易に開放でき、かつ必要以上に収縮することを防止できる使い捨て吸収性物品を提供することを目的とする。また、本発明は、漏れを確実に防止できる使い捨て吸収性物品を提供することを目的とする。
【００１２】
【課題を解決するための手段】
請求項１記載の使い捨て吸収性物品は、透液性表面シート、不透液性裏面シート、および、これら透液性表面シートと不透液性裏面シートとの間に配設された吸収体を備えた長手方向両端部および幅方向両側部を有する形状の吸収性物品体を具備し、この吸収性物品体は、前記透液性表面シートおよび不透液性裏面シートの少なくともいずれか一方により前記吸収体の外方に第１のフラップ部が形成され、前記透液性表面シートの表面側に、前記吸収性物品体の長手方向に沿ってこの吸収性物品体の幅方向の両側部に自由端状の第２のフラップ部が前記不透液性表面シートにて形成され、前記不透液性裏面シートの前記吸収体と反対側に、前記吸収性物品体の長手方向に沿って自由端状の第３のフラップ部が形成され、前記第２のフラップ部は、基端側が前記透液性表面シートおよび不透液性裏面シートのいずれか一方に固定され、先端側に前記吸収性物品体の長手方向に沿って第２フラップ用弾性体が配設され、前記第３のフラップ部は、基端側が前記不透液性裏面シートに固定され、先端側に前記吸収性物品体の長手方向に沿って第３フラップ用弾性体が配設されているものである。
【００１３】
そして、吸収性物品体の不透液性裏面シートの吸収体と反対側に、吸収性物品体の長手方向に沿って自由端状の第３のフラップ部を形成し、かつこの第３のフラップ部の先端側に吸収性物品体の長手方向に沿って第３フラップ用弾性体を配設することにより、第３フラップ用弾性体の収縮にて第３のフラップ部が吸収性物品体の長手方向に収縮することで、折り畳まれた状態の吸収性物品体が容易に開放されるとともに、吸収性物品体が必要以上に収縮することを防止する。また、吸収性物品体の長手方向に沿ってこの吸収性物品体の幅方向の両側部に自由端状の第２のフラップ部を不透液性表面シートにて形成し、これら第２のフラップ部の先端側に吸収性物品体の長手方向に沿って第２フラップ用弾性体を配設することにより、第２フラップ用弾性体の収縮にて第２のフラップ部が吸収性物品体から立体状に立ち上がるので、横漏れが防止される。
【００１４】
請求項２記載の使い捨て吸収性物品は、請求項１記載の使い捨て吸収性物品において、第３フラップ用弾性体は、第２フラップ用弾性体よりも伸張応力が大きいものである。
【００１５】
そして、第３フラップ用弾性体の伸張応力を、第２フラップ用弾性体よりも大きくすることにより、吸収性物品の不透液性裏面シート側が透液性表面シート側よりも収縮するので、折り畳まれた吸収性物品体が、より確実に開放される。
【００１６】
請求項３記載の使い捨て吸収性物品は、請求項１または２記載の使い捨て吸収性物品において、第１のフラップ部は、第２のフラップ部の外方に位置する部分に吸収性物品体の長手方向に沿って不透液性表面シート側が内側となるように折り返された折り返し部を有し、この折り返し部は、吸収性物品体の長手方向に沿った部分および長手方向の両端部のいずれか一方の少なくとも一部が、前記第１のフラップ部の非折り返し部分に固着されているものである。
【００１７】
そして、第１のフラップ部における第２のフラップ部の外方に位置する部分に、吸収性物品体の長手方向に沿って不透液性表面シート側が内側となるように折り返された折り返し部を設け、この折り返し部の吸収性物品体の長手方向に沿った部分および長手方向の両端部のいずれか一方の少なくとも一部を、第１のフラップ部の非折り返し部分に固着することで、この折り返し部にて横漏れをより確実に防止する。
【００１８】
請求項４記載の使い捨て吸収性物品は、請求項１ないし３いずれか一記載の使い捨て吸収性物品において、吸収性物品体の長手方向に沿ってこの吸収性物品体の不透液性裏面シートの吸収体と反対側に固定された矩形状の折り曲げシートを備え、第３のフラップ部は、前記折り曲げシートの幅方向の両側部から自由端状に延設され、かつ長手方向の両端部が前記不透液性裏面シートに固定されているものである。
【００１９】
そして、吸収性物品体の長手方向に沿ってこの吸収性物品体の不透液性裏面シートの吸収体と反対側に固定された矩形状の折り曲げシートの幅方向の両側部に、第３のフラップ部の基端部を設け、かつこの第３のフラップ部の長手方向の両端部を不透液性裏面シートに固定することで、２つの第３のフラップ部にて吸収性物品体の折り畳みが、より確実に開放される。
【００２０】
請求項５記載の使い捨て吸収性物品は、請求項１ないし４いずれか一記載の使い捨て吸収性物品において、不透液性裏面シートの吸収体と反対側の長手方向の両端部に、被固定部に固定される固定部材が配設されているものである。
【００２１】
そして、不透液性裏面シートの吸収体と反対側の長手方向の両端部に、被固定部に固定される固定部材を配設することにより、固定部材を被固定部に固定することで、第３のフラップ部の収縮により吸収性物品体が装着者の身体に向けて持ち上げられるので、密着性が向上し、より確実に漏れが防止される。
【００２２】
請求項６記載の使い捨て吸収性物品は、請求項５記載の使い捨て吸収性物品において、固定部材は、面ファスナのフック部材であるものである。
【００２３】
そして、固定部材を面ファスナのフック部材とすることで、固定部材を繰り返して着脱して使用可能となり、かつフック部材は比較的容易に入手可能なので、製造性がより向上する。
【００２４】
【発明の実施の形態】
以下、本発明の使い捨て吸収性物品の第１の実施の形態の構成を図１ないし図３を参照して説明する。
【００２５】
図１および図２において、１は吸収性物品体である。この吸収性物品体１は、長手方向両端部および幅方向両側部を有する矩形状に形成されており、例えば病人、失禁者などの装着者の背部側から腹部側に身体に沿って装着する使い捨て吸収性物品である。そして、この吸収性物品体１は、矩形状の透液性表面シート２、バックシートとしての矩形状の不透液性裏面シート３、これら透液性表面シート２と不透液性裏面シート３との間に配設された矩形状の吸収体４にて層状に形成されている。
【００２６】
また、透液性表面シート２の両側部には、細長矩形状の不透液性表面シート５，５がそれぞれ配設されている。これら不透液性表面シート５は、吸収性物品体１の長手方向の一端部から他端部に亘る長手方向全体に設けられている。
【００２７】
透液性表面シート２は、例えば織布、不織布、多孔性フィルム、或いは合成繊維などの、透液性および通気性を有し、かつ肌着に近い感触のシート材で形成され、尿などの排泄液を吸収体４へ透過するとともに、身体に直接接触しても不快感を与えないようになっている。
【００２８】
また、不透液性裏面シート３は、例えばポリエチレン（ｐｏｌｙｅｔｈｙｌｅｎｅ）樹脂などの合成樹脂などの、不透液性および通気性を有したシート材にて形成され、尿などの排泄液にて例えば下着などの他の衣類、或いはシーツなどの汚れを防止している。
【００２９】
さらに、吸収体４は、例えばパルプを主とする材料であって一部に高分子吸収体などの物質を含んだ材料にてシート状に形成され、尿などの排泄液を充分に吸収する。
【００３０】
そして、これら透液性表面シート２、不透液性裏面シート３および吸収体４は、吸収性物品体１の形状に合わせてそれぞれ矩形状に形成されている。
【００３１】
また、不透液性表面シート５は、不透液性裏面シート３と同様に、例えばポリエチレン樹脂などの合成樹脂などの、不透液性および通気性を有したシート材にて形成されている。
【００３２】
そして、吸収性物品体１の周縁部には、透液性表面シート２および不透液性裏面シート３の周縁部と、不透液性表面シート５，５の基端部である幅方向の一側部が、例えば接着剤などでそれぞれ接合されて矩形枠状の第１のフラップ部１１が形成されている。この第１のフラップ部１１は、吸収性物品体１の周縁部全体に亘って形成されている。この第１のフラップ部１１により、吸収体４が透液性表面シート２と不透液性裏面シート３との間に封着されている。言い換えると、第１のフラップ部１１は、吸収体４の外方に形成されている。
【００３３】
そして、透液性表面シート２の吸収体４と反対側である表面側、すなわち吸収性物品体１の表面側の両側部には、第２のフラップ部１２，１２が不透液性表面シート５，５にてそれぞれ形成されている。これら第２のフラップ部１２，１２は、基端側が透液性表面シート２の表面側に第１のフラップ部１１としてそれぞれ固定されており、先端側が、透液性表面シート２の表面側に突出して自由端状に形成されている。すなわち第２のフラップ部１２，１２は、吸収性物品体１の長手方向全体に亘って形成されている。
【００３４】
また、第２のフラップ部１２，１２の先端側には、これら第２のフラップ部１２，１２を円弧状に折り返して形成された筒状の第２フラップ用収容部１３，１３が設けられている。これら第２フラップ用収容部１３，１３内には、第２フラップ用弾性体１４，１４が挿通されてそれぞれ配設されている。これら第２フラップ用弾性体１４，１４は、例えば紐状ゴムなどの長手方向に伸縮可能な部材であり、伸張させた状態で吸収体４の長手方向の一端近傍から他端近傍に亘る領域に対応して配設されている。このため、第２のフラップ部１２，１２の両端が第２フラップ用弾性体１４，１４により長手方向の中心域に向けて収縮することで、第２のフラップ部１２，１２が吸収性物品体１から立体状に立ち上がって立体ギャザが形成される。
【００３５】
さらに、不透液性裏面シート３の吸収体４と反対側、すなわち吸収性物品体１の裏面側には、吸収性物品体１の長手方向に沿って長手状に形成された第３のフラップ部１５が形成されている。この第３のフラップ部１５は、本実施の形態では、吸収性物品体１の幅方向の中心域に、この吸収性物品体１の長手方向全体に亘って設けられている。また、第３のフラップ部１５は、基端側が不透液性裏面シート３の吸収体４と反対側の面、すなわち吸収性物品体１の裏面に固定され、先端側が不透液性裏面シート３から第２のフラップ部１２，１２と反対方向に向けて突出した自由端状に形成されている。
【００３６】
そして、第３のフラップ部１５の先端側には、この第３のフラップ部１５を円弧状に折り返して形成された筒状の第３フラップ用収容部１６が設けられている。この第３フラップ用収容部１６内には、第３フラップ用弾性体１７が挿通されて配設されている。この第３フラップ用弾性体１７は、例えば紐状ゴムなどの長手方向に伸縮可能な部材であり、伸張させた状態で吸収体４の長手方向の一端近傍から他端近傍に亘る領域に対応して配設されている。また、この第３フラップ用弾性体１７は、第２フラップ用弾性体１４，１４よりも伸張応力が大きい。
【００３７】
さらに、吸収性物品体１には、一対の折り込み線部１８，１８が設けられている。これら折り込み線部１８，１８は、本実施の形態では、吸収性物品体１の幅方向に沿って、この吸収性物品体１の両側部の間に架け渡すように設けられ、吸収性物品体１の長手方向に互いに離間されている。そして、これら折り込み線部１８，１８は、吸収性物品体１の長手方向の中心について互いに線対称な位置になるように設けられている。したがって、第３のフラップ部１５は、基端部側が両折り込み線部１８，１８に掛かる位置に、これら両折り込み線部１８，１８と交差、例えば略直交して設けられている。また、第３フラップ用弾性体１７は、伸張した状態、すなわち延伸状態で折り込み線部１８，１８と交差、すなわち折り込み線部１８，１８を跨ぐように配設されている。
【００３８】
次に、上記第１の実施の形態の作用を説明する。
【００３９】
折り込み線部１８，１８に沿って図３に示すように折り畳まれた吸収性物品体１を図示しない包装袋から取り出すと、第３フラップ用弾性体１７が長手方向に収縮して復帰変形することにより、吸収性物品体１の折り畳み状態が長手方向に開放されて図２に示すように展開する。
【００４０】
この状態で、この吸収性物品体１を例えば図示しないおむつカバーなどの上に重ねて装着者の背側に長手方向の一端側を敷き、第２フラップ用弾性体１４，１４の収縮により立体ギャザとして立ち上がった第２のフラップ部１２，１２を装着者の股下の両脚回りに当接させつつ、吸収性物品体１の長手方向の他端側を装着者の股下に沿って装着者の腹側に折り返して、おむつカバーにて吸収性物品体１を装着者の下腹部に固定する。
【００４１】
上述したように、上記第１の実施の形態では、吸収性物品体１の裏面側に、吸収性物品体１の長手方向に沿って自由端状の第３のフラップ部１５を形成し、かつこの第３のフラップ部１５の先端側に吸収性物品体１の長手方向に沿って第３フラップ用弾性体１７を配設する構成とした。
【００４２】
このため、第３フラップ用弾性体１７の収縮にて第３のフラップ部１５が吸収性物品体１の長手方向に収縮することで、折り込み線部１８，１８から折り畳まれた状態の吸収性物品体１を容易に開放できる。
【００４３】
また、先端側を自由端状にした第３のフラップ部１５に第３フラップ用弾性体１７を配設することで、不透液性裏面シート３に直接弾性体を配設した従来の場合と比較して、吸収性物品体１を必要以上に収縮させることを防止できる。
【００４４】
さらに、吸収性物品体１の長手方向に沿ってこの吸収性物品体１の幅方向の両側部に自由端状の第２のフラップ部１２，１２を不透液性表面シート５にて形成し、これら第２のフラップ部１２，１２の先端側に吸収性物品体１の長手方向に沿って第２フラップ用弾性体１４，１４をそれぞれ配設することにより、第２フラップ用弾性体１４，１４の収縮にて第２のフラップ部１２，１２が吸収性物品体１から立体状に立ち上がって装着者の股下回りに密着するので、装着者の股下などからの横漏れを防止できる。
【００４５】
そして、第３フラップ用弾性体１７の伸張応力を、第２フラップ用弾性体１４，１４の伸張応力よりも大きくすることにより、吸収性物品体１の裏面側が表面側よりも収縮するので、折り畳まれた吸収性物品体１を、より確実に開放できる。
【００４６】
また、第３のフラップ部１５の基端側を、吸収性物品体１の裏面の吸収体４が位置している位置に設けることにより、例えば第３のフラップ部１５の基端側を吸収性物品体１の裏面の第１のフラップ部１１に対応する位置などに設ける場合と比較して、吸収性物品体１の折り畳み状態を、より確実に開放できる。
【００４７】
さらに、第３フラップ用弾性体１７を、延伸状態で両折り込み線部１８を跨ぐように配設することで、折り畳み状態の吸収性物品体１を、より確実に開放できる。
【００４８】
次に、第２の実施の形態を図４を参照して説明する。なお、上記第１の実施の形態と同様の構成および作用については、同一符号を付してその説明を省略する。
【００４９】
図４において、第１のフラップ部１１は、折り返し部２１，２１を備えている。これら折り返し部２１，２１は、第１のフラップ部１１における第２のフラップ部１２，１２の外方すなわち側方に位置する部分である両側部を、吸収性物品体１の長手方向に沿って不透液性表面シート５が内側となるようにそれぞれ折り返して形成されている。また、これら折り返し部２１，２１は、吸収性物品体１の長手方向に沿った部分が、第１のフラップ部１１の非折り返し部分、すなわち第１のフラップ部１１の、折り返し部２１，２１よりも吸収性物品体１の幅方向の中心側に位置する部分に、例えば接着剤などにて固着されて折り返し固着部２１ａ，２１ａが形成されている。
【００５０】
さらに、折り返し部２１，２１の先端部、すなわち第１のフラップ部１１の幅方向の両側部には、吸収性物品体１の表方向である図４に示す上方向に屈曲されて延設された延設部２２，２２が形成されている。したがって、延設部２２，２２は、吸収性物品体１の表面側に立ち上がり形成されている。
【００５１】
そして、折り畳み状態から第３フラップ用弾性体１７の収縮により第３のフラップ部１５が長手方向に収縮することで展開状態となった吸収性物品体１を、第２のフラップ部１２，１２および折り返し部２１，２１の延設部２２，２２が装着者の股下の両脚回りに当接するように装着者に装着する。
【００５２】
上述したように、上記第２の実施の形態では、第１のフラップ部１１における第２のフラップ部１２，１２の外方に位置する部分に、吸収性物品体１の長手方向に沿って不透液性表面シート５側が内側となるように折り返された折り返し部２１，２１を設け、これら折り返し部２１，２１の吸収性物品体１の長手方向に沿った部分を、第１のフラップ部１１の非折り返し部分に固着する構成とした。
【００５３】
このため、第２のフラップ部１２，１２を乗り越えた排泄液、あるいは透液性表面シート２から染み出した排泄液などを、折り返し部２１，２１の延設部２２，２２により堰き止めることで、これら排泄液などの漏れを、より確実に防止できる。
【００５４】
特に、折り返し部２１，２１の延設部２２，２２は、不透液性を有する不透液性表面シート５および不透液性裏面シート３にて形成しているため、排泄液などがこれら不透液性表面シート５および不透液性裏面シート３に染み込むことをも防止できる。
【００５５】
なお、上記第２の実施の形態において、折り返し部２１，２１は、吸収性物品体１の長手方向に沿った部分の少なくとも一部が非折り返し部分に固着されていればよい。
【００５６】
また、折り返し部２１，２１は、吸収性物品体１の長手方向に沿った部分以外にも、長手方向の両端部を非折り返し部分に固着する構成も可能である。
【００５７】
さらに、上記各実施の形態において、図５に示すように、第３のフラップ部１５を複数、例えば２つ、吸収性物品体１の幅方向に互いに離間して設ける構成も可能である。
【００５８】
次に、第３の実施の形態を図６および図７を参照して説明する。なお、上記第１の実施の形態と同様の構成および作用については、同一符号を付してその説明を省略する。
【００５９】
図６において、吸収性物品体１の裏面側には、矩形状の折り曲げシート２３が配設されている。この折り曲げシート２３は、吸収性物品体１の長手方向に沿って長手方向を有し、吸収性物品体１と長手方向および幅方向の各中心位置を合わせた状態で配設されている。また、この折り曲げシート２３の幅方向の中心域には、吸収性物品体１の裏面と例えば接着剤などにて固着された略矩形状の固着部２５が設けられている。
【００６０】
さらに、第３のフラップ部１５は、折り曲げシート２３の幅方向の両側部から自由端状に延設されている。したがって、第３のフラップ部１５は基端側が折り曲げシート２３の両側部となっており、これら基端部は、吸収性物品体１の裏面に固定されている。また、第３のフラップ部１５の長手方向の両端部は、図７に示すように、固着部２５と一体に吸収性物品体１の裏面に固定されている。
【００６１】
そして、吸収性物品体１を包装袋から取り出すと、上記各実施の形態と同様に、第３フラップ用弾性体１７の収縮により第３のフラップ部１５が長手方向に収縮して吸収性物品体１が折り畳み状態から開放されて展開状態となる。
【００６２】
上述したように、上記第３の実施の形態では、吸収性物品体１の長手方向に沿ってこの吸収性物品体１の裏面に固定された矩形状の折り曲げシート２３の幅方向の両側部に、第３のフラップ部１５の基端部を設け、かつこの第３のフラップ部１５の長手方向の両端部を不透液性裏面シート３に固定する構成とした。
【００６３】
このため、２つの第３のフラップ部１５にて吸収性物品体１の折り畳みを、より確実に開放できるとともに、これら第３のフラップ部１５の先端側は、長手方向の両端部以外の部分が吸収性物品体１の不透液性裏面シート３に対して自由端状となっているので、吸収性物品体１を長手方向に必要以上に収縮させることを防止できる。
【００６４】
次に、第４の実施の形態を図８および図９を参照して説明する。なお、上記第１ないし第３の実施の形態と同様の構成および作用については、同一符号を付してその説明を省略する。
【００６５】
不透液性裏面シート３の長手方向の両端部である折り曲げシート２３の長手方向の両端部には、矩形状の固定部材としての面ファスナのフック部材２６，２６がそれぞれ固着されて配設されている。これらフック部材２６，２６は、例えば吸収性物品体１とは別体の吸収性物品体、あるいは衣服などの被固定部に固定するためのものである。
【００６６】
そして、吸収性物品体１の装着時には、フック部材２６，２６をそれぞれ装着者の背側および腹側の衣服などに固定すると、装着者の身体の形状に合わせて吸収性物品体１が、図９に示すように、装着者の身体と反対方向に向けた凸弧状、すなわち側面視略Ｕ字状に湾曲して変形する。
【００６７】
このとき、第３のフラップ部１５が収縮し、折り曲げシート２３が断面視波状に収縮するとともに、装着者の股間部に位置した吸収性物品体１が、図９に示す矢印方向である上方向、すなわち装着者の身体の方向に押し上げられて装着者の股間部に密着する。
【００６８】
上述したように、上記第４の実施の形態によれば、装着者の衣服などに固定されるフック部材２６，２６を折り曲げシート２３の長手方向の両端部に設けることにより、フック部材２６，２６を装着者の衣服などに固定して吸収性物品体１を装着することで、吸収性物品体１が装着者の身体の方向に押し上げられて装着者の股間部に密着するので、密着性を向上でき、排泄液などの股間部からの漏れを、より確実に防止できる。
【００６９】
また、フック部材２６，２６を設けることで、吸収性物品体１を、より容易に装着者に対して固定できる。
【００７０】
さらに、フック部材２６，２６は、衣服などに対して繰り返して着脱でき、吸収性物品体１の使い勝手を、より向上できる。
【００７１】
そして、フック部材２６，２６は、比較的入手が容易かつ安価であるため、吸収性物品体１の製造性をより向上できる。
【００７２】
また、フック部材２６，２６を折り曲げシート２３の両端部に設けることにより、吸収性物品体１の製造の際に、折り曲げシート２３を不透液性裏面シート３に固着するだけでフック部材２６，２６をも同時に吸収性物品体１に固定できるので、製造性をさらに向上できる。
【００７３】
なお、上記第４の実施の形態において、フック部材２６，２６の折り曲げシート２３の幅方向の位置は、折り曲げシート２３の両側部の間であれば、任意の位置が可能であるが、第３のフラップ部１５を避けた位置の方が第３のフラップ部１５の効果を充分に得ることができる。
【００７４】
また、フック部材２６，２６の折り曲げシート２３の長手方向の位置は、折り曲げシート２３の両側部の間であれば、任意の位置が可能であるが、折り曲げシート２３の長手方向の中心域以外の位置に配設する方が第３のフラップ部１５による吸収体４の装着時の押し上げ効果を充分に得ることができる。
【００７５】
さらに、フック部材２６，２６は、不透液性裏面シート３の長手方向の両端部近傍に配設すれば、折り曲げシート２３に固着しない構成も可能である。
【００７６】
そして、フック部材２６，２６は任意の大きさが可能であり、また、フック部材２６，２６以外にも、例えば粘着剤などを固定部材として用いることも可能である。
【００７７】
また、上記各実施の形態において、図１０に示すように、例えば透液性表面シート３１および不透液性裏面シート３２の間に吸収体３３を封着した他の吸収性物品体３４を外側すなわちアウタとし、吸収性物品体１を吸収性物品体３４の内側すなわちインナの尿取りパッドなどとして、これら吸収性物品体１，３４を併用して使用することも可能である。この場合には、例えば第２のフラップ部１２を越えて吸収性物品体１から溢れて漏れた尿などの排泄液の矢印Ａに示す流れを、吸収体３３の上方に位置した第３のフラップ部１５および折り曲げシート２３が阻害しないように、これら第３のフラップ部１５および折り曲げシート２３を透液性シートで形成することが好ましい。そして、吸収性物品体１，３４を併用することで、万一吸収性物品体１から排泄液が漏れた際にでも、外側に位置する吸収性物品体３４の吸収体３３にて排泄液を確実に吸収でき、漏れをより確実に防止できる。
【００７８】
さらに、吸収性物品体１を単独で使用する際などには、第３のフラップ部１５、あるいは折り曲げシート２３は、透液性シートおよび不透液性シートのいずれでもよい。
【００７９】
そして、第３のフラップ部１５は、吸収性物品体１の裏面側の任意の位置に基端部を配設可能である。
【００８０】
また、第３のフラップ部１５は、両折り込み線部１８を跨いでいれば、吸収性物品体１の長手寸法と同等、あるいは吸収性物品体１の長手寸法よりも短い長手寸法を有していてもよい。
【００８１】
さらに、第３フラップ用弾性体１７は、両折り込み線部１８を跨がずに配設されていても、上記各実施の形態と同様の作用効果を奏することが可能である。
【００８２】
そして、第２フラップ用弾性体１４，１４および第３フラップ用弾性体１７は、それぞれ複数本でもよく、あるいは帯状の弾性部材などでもよい。
【００８３】
また、第１のフラップ部１１は、透液性表面シート２および不透液性裏面シート３のいずれか一方のみ、あるいは透液性表面シート２および不透液性裏面シート３の両方にて形成することも可能である。
【００８４】
【発明の効果】
請求項１記載の使い捨て吸収性物品によれば、吸収性物品体の不透液性裏面シートの吸収体と反対側に、吸収性物品体の長手方向に沿って自由端状の第３のフラップ部を形成し、かつこの第３のフラップ部の先端側に吸収性物品体の長手方向に沿って第３フラップ用弾性体を配設することにより、第３フラップ用弾性体の収縮にて第３のフラップ部が吸収性物品体の長手方向に収縮することで、折り畳まれた状態の吸収性物品体を容易に開放できるとともに、吸収性物品体が必要以上に収縮することを防止できる。また、吸収性物品体の長手方向に沿ってこの吸収性物品体の幅方向の両側部に自由端状の第２のフラップ部を不透液性表面シートにて形成し、これら第２のフラップ部の先端側に吸収性物品体の長手方向に沿って第２フラップ用弾性体を配設することにより、第２フラップ用弾性体の収縮にて第２のフラップ部が吸収性物品体から立体状に立ち上がるので、横漏れを防止できる。
【００８５】
請求項２記載の使い捨て吸収性物品によれば、第３フラップ用弾性体の伸張応力を、第２フラップ用弾性体よりも大きくすることにより、吸収性物品体の不透液性裏面シート側が透液性表面シート側よりも収縮するので、折り畳まれた吸収性物品体を、より確実に開放できる。
【００８６】
請求項３記載の使い捨て吸収性物品によれば、第１のフラップ部における第２のフラップ部の外方に位置する部分に、吸収性物品体の長手方向に沿って不透液性表面シート側が内側となるように折り返された折り返し部を設け、この折り返し部の吸収性物品体の長手方向に沿った部分および長手方向の両端部のいずれか一方の少なくとも一部を、第１のフラップ部の非折り返し部分に固着することで、この折り返し部にて横漏れをより確実に防止できる。
【００８７】
請求項４記載の使い捨て吸収性物品によれば、吸収性物品体の長手方向に沿ってこの吸収性物品体の不透液性裏面シートの吸収体と反対側に固定された矩形状の折り曲げシートの幅方向の両側部に、第３のフラップ部の基端部を設け、かつこの第３のフラップ部の長手方向の両端部を不透液性裏面シートに固定することで、２つの第３のフラップ部にて吸収性物品体の折り畳みを、より確実に開放できる。
【００８８】
請求項５記載の使い捨て吸収性物品によれば、不透液性裏面シートの吸収体と反対側の長手方向の両端部に、被固定部に固定される固定部材を配設することにより、固定部材を被固定部に固定することで、第３のフラップ部の収縮により吸収性物品体が装着者の身体に向けて持ち上げられるので、密着性を向上でき、より確実に漏れを防止できる。
【００８９】
請求項６記載の使い捨て吸収性物品によれば、固定部材を面ファスナのフック部材とすることで、固定部材を繰り返して着脱して使用可能となり、かつフック部材は比較的容易に入手可能なので、製造性をより向上できる。
【図面の簡単な説明】
【図１】本発明の第１の実施の形態の使い捨て吸収性物品を示す縦断正面図である。
【図２】同上使い捨て吸収性物品を示す平面図である。
【図３】同上使い捨て吸収性物品の折り畳み状態を示す斜視図である。
【図４】本発明の第２の実施の形態の使い捨て吸収性物品を示す縦断正面図である。
【図５】本発明の使い捨て吸収性物品の他の実施例を示す平面図である。
【図６】本発明の第３の実施の形態の使い捨て吸収性物品を示す縦断正面図である。
【図７】同上使い捨て吸収性物品を示す平面図である。
【図８】本発明の第４の実施の形態の使い捨て吸収性物品を示す平面図である。
【図９】同上使い捨て吸収性物品の装着状態を示す縦断正面図である。
【図１０】本発明の他の実施の形態を示す縦断正面図である。
【符号の説明】
１    吸収性物品体
２    透液性表面シート
３    不透液性裏面シート
４    吸収体
５    不透液性表面シート
１１    第１のフラップ部
１２    第２のフラップ部
１４    第２フラップ用弾性体
１５    第３のフラップ部
１７    第３フラップ用弾性体
２１    折り返し部
２３    折り曲げシート
２６    固定部材としてのフック部材
【図１】
2004305465.tif 000003
【図２】
2004305465.tif 000004
【図３】
2004305465.tif 000005
【図４】
2004305465.tif 000006
【図５】
2004305465.tif 000007
【図６】
2004305465.tif 000008
【図７】
2004305465.tif 000009
【図８】
2004305465.tif 000010
【図９】
2004305465.tif 000011
【図１０】
2004305465.tif 000012